(57)【要約】  外面３と内面４とを有し、内周に沿って等間隔の３以上のガイドトラック６を備える外側ジョイント部２と、外周に沿って等間隔の３以上の枢軸１０を備える内側ジョイント部８と、外側と内側のジョイント部間に配置され、枢軸上に支持される転がり軸受１２とを具備する回転ホモキネティックジョイント１。全転がり軸受は、内側ジョイント部１４を軸方向で直動させるべく外側ジョイント部のガイドトラックに適合される転がり軸受外面１４を備える。ガイドトラックは２つの対向する側方ガイド面１６を備え、各側方ガイド面は転がり軸受を軸方向で案内する。本ジョイントは、全側方ガイド面が互いに対して所定の角度αを成して延びる２以上の直線的な面１８ａ，１８ｂから成り、それによりガイドトラック内の転がり軸受が、ローディング方向に対応するガイドトラックの側方ガイド面上の２以上の接触領域２０で支持される。【選択図】図１
2008509345.tif 000002
【特許請求の範囲】
【請求項１】
−  外面（３）と内面（４）とを有するとともに、内面（４）の周囲にわたって均一に分布され且つ軸方向に延びる少なくとも３つのガイドトラック（６）を備える外側ジョイント部（２）と、
−  外周にわたって均一に分布され且つ径方向に延びる少なくとも３つの枢軸（１０）を備える内側ジョイント部（８）と、
−  外側ジョイント部（２）と内側ジョイント部（８）との間に配置され、枢軸（１０）上に支持されるとともに、内側ジョイント部（１４）を軸方向で直線的に移動させるために外側ジョイント部（２）のガイドトラック（６）に適合される転がり軸受外面（１４）をそれぞれが備える転がり軸受（１２）と、
を具備する、回転ホモキネティックジョイント（１）であり
−  前記ガイドトラック（６）が２つの対向する側方ガイド面（１６）を備え、各側方ガイド面が転がり軸受（１２）を軸方向でガイドする、前記回転ホモキネティックジョイント（１）において、
各側方ガイド面（１６）は、互いに対して所定の角度（α）を成して延びる少なくとも２つの直線的な面（１８ａ，１８ｂ）から成り、それにより、
ガイドトラック（６）内に挿入された転がり軸受（１２）は、ローディング方向に対応するガイドトラック（６）の側方ガイド面（１６）上の少なくとも２つの接触領域（２０）で支持されることを特徴とする回転ホモキネティックジョイント。
【請求項２】
転がり軸受（１２）の転がり軸受外面（１４）が球面であり、球面形状の中心が転がり軸受（１２）の中心軸（２２）上に位置していることを特徴とする、請求項１に記載の回転ホモキネティックジョイント。
【請求項３】
転がり軸受（１２）の転がり軸受外面（１４）は、転がり軸受（１２）の赤道面（２４）に対して垂直に延びる面内に曲率を有し、前記曲率の半径（ｒ）は、転がり軸受（１２）の赤道面（２４）内の外径（Ｒ）よりも大きいことを特徴とする、請求項１に記載の回転ホモキネティックジョイント。
【請求項４】
互いの方に向かって延びる側方ガイド面（１６）の直線的な面（１８ａ，１８ｂ）が成す角度（α）は、転がり軸受外面（１４）の曲率に適合されることを特徴とする、請求項１〜３のいずれか一項に記載の回転ホモキネティックジョイント。
【請求項５】
側方ガイド面（１６）の直線的な面（１８ａ，１８ｂ）はそれぞれ、転がり軸受（１２）の接触領域（２０）で転がり軸受外面（１４）の曲率に対する接平面を形成することを特徴とする、請求項１〜４のいずれか一項に記載の回転ホモキネティックジョイント。
【請求項６】
曲率中心から転がり軸受外面（１４）と側方ガイド面（１６）との間の接触領域（２０）のうちの１つまでの接続線（２６）は、転がり軸受（１２）の赤道面（２４）と、０．５°〜ａｒｃｓｉｎ［Ｂ／（２・ｒ）］−０．５°、好ましくは２°〜ａｒｃｓｉｎ［Ｂ／（２・ｒ）］−２°に相当する角度（β）を成しており、ｒが曲率半径であり、Ｂが転がり軸受（１２）の軸方向における転がり軸受外面の幅であることを特徴とする、請求項１〜５のいずれか一項に記載の回転ホモキネティックジョイント。
【請求項７】
ガイドトラック（６）内に挿入される転がり軸受（１２）は、転がり軸受外面（１４）と側方ガイド面（１８ａ，１８ｂ）との間に最大で０．２ｍｍ、好ましくは最大で０．１ｍｍのクリアランスを有していることを特徴とする、請求項１〜６のいずれか一項に記載の回転ホモキネティックジョイント。
【請求項８】
転がり軸受（１２）は端縁（２８）が丸められており、転がり軸受外面（１４）は、端縁（２８）から段が付けられる隆起面を形成していることを特徴とする、請求項１〜７のいずれか一項に記載の回転ホモキネティックジョイント。
【請求項９】
ガイドトラック（６）の側方ガイド面（１６）と転がり軸受外面（１４）との間にはそれぞれ潤滑油チャンネル（３０）が設けられていることを特徴とする、請求項１〜８のいずれか一項に記載の回転ホモキネティックジョイント。
【請求項１０】
内側ジョイント部（８）の枢軸（１０）はそれぞれ、枢軸（１０）の軸と同軸のバレル形状を成しており、バレル形状は、好ましくは、互いに垂直な２つの面内に外面の円形の曲率を有していることを特徴とする、請求項１〜９のいずれか一項に記載の回転ホモキネティックジョイント。
【請求項１１】
転がり軸受（１２）が内面（３２）を有し、前記内面（３２）および内側ジョイント部（１８）の枢軸（１０）は、枢軸（１０）が転がり軸受（１２）の軸方向で直線的に移動できるように互いに合わせられることを特徴とする、請求項１〜１０のいずれか一項に記載の回転ホモキネティックジョイント。
【請求項１２】
転がり軸受（１２）は、ロール体（３８）を間に配置した転がり軸受内側リング（３４）と転がり軸受外側リング（３６）とから成り、転がり軸受内側リング（３４）および転がり軸受外側リング（３６）は、転がり軸受の軸方向で互いに対して固定されていることを特徴とする、請求項１〜１１のいずれか一項に記載の回転ホモキネティックジョイント。
【請求項１３】
ロール体（３８）が転がり軸受外側リング（３６）内に固定されていることを特徴とする、請求項１２に記載の回転ホモキネティックジョイント。
【請求項１４】
転がり軸受内側リング（３４）は、スプリングリング（４０）および／または平坦リング（４２）によって転がり軸受外側リング（３６）に対して固定されていることを特徴とする、請求項１２または１３に記載の回転ホモキネティックジョイント。
【請求項１５】
転がり軸受内側リング（３４）は、圧入リング（４４）によって転がり軸受外側リング（３６）に対して固定されていることを特徴とする、請求項１２または１３に記載の回転ホモキネティックジョイント。
【請求項１６】
外側ジョイント部（２）の外面（３）が円筒状または三脚台形状を成していることを特徴とする、請求項１〜１５のいずれか一項に記載の回転ホモキネティックジョイント。
【発明の詳細な説明】
【技術分野】
【０００１】
本発明は、請求項１のプレアンブルに係る回転ホモキネティックジョイントに関する。
【背景技術】
【０００２】
回転ホモキネティックジョイントは、幅広く知られており、車のドライブトレインにおいて、例えば可動型従動車軸において使用され、また、従動車輪における車両スプリングシステムを均一化するために使用されている。
【０００３】
このような回転ホモキネティックジョイントは、ジョイントの駆動部と従動部との間の角度を比較的大きくすることができる一方で、均一な振動の無いねじれ伝達が維持されるという点で有益である。
【０００４】
回転ホモキネティックジョイントは、独国特許出願公開第４２１０８９４  Ａ１号明細書および独国特許出願公開第１０２０６７３３  Ａ１号明細書から知られている。これらの文献はそれぞれ、湾曲した外面を有する転がり軸受が外側ジョイント部のトラック内に挿入される三脚型の回転ホモキネティックジョイントについて記載している。トラックの側方ガイド面の曲率は、各転がり軸受が外側ジョイント部のガイドトラック内の少なくとも１つの接触領域で支持されるように転がり軸受に適合されている。
【発明の開示】
【発明が解決しようとする課題】
【０００５】
この従来技術の欠点は、トラックの側方ガイド面の幾何学的形状が曲率に起因して多大な製造労力を要するという点である。また、負荷時に接触領域で比較的高いヘルツ（Ｈｅｒｔｚｉａｌ）応力（ヘルツの理論にしたがって２つのボディの接触中に生じる応力）が生じ、それにより、これらの領域で素材疲労が起こる場合がある。更に、転がり軸受は、トラック内で比較的大きなクリアランス、いわゆるバックラッシュを有しており、そのため、トラック内で軸受が傾動する場合があり、それにより、回転ジョイントの動きが不安定になる。独国特許出願公開第１０２  ０６  ７３３  Ａ１号明細書に係る回転ホモキネティックジョイントは、内側ジョイント部の枢軸の曲率に適合される転がり軸受の内側リングを更に備えており、それにより、高い傾転力が枢軸を介して転がり軸受に作用する。
【０００６】
したがって、本発明の目的は、転がり軸受と外側ジョイント部との間のヘルツ（Ｈｅｒｔｚｉａｌ）応力を小さくできる一方で、ガイドトラック内での軸受の動きの自由度を小さくでき、また、従来技術の欠点が回避されるように、前述したタイプの回転ホモキネティックジョイントを改善することである。
【課題を解決するための手段】
【０００７】
この目的は、本発明によれば、請求項１の特徴によって解決される。
【０００８】
本発明は、外側ジョイント部に設けられ且つそれぞれが転がり軸受をガイドする２つの対向する側方ガイド面を備えるガイドトラックが、全ての側方ガイド面が互いに対して所定の角度を成して延びる少なくとも２つの直線的な面から成るように形成され、それにより、ガイドトラック内に挿入された転がり軸受が、ローディング方向に対応するガイドトラックの側方ガイド面上の少なくとも２つの接触領域で支持されるということを有利に提供する。したがって、ローディング方向で生じる力が２つの異なる接触領域上に分布され、それにより、転がり軸受外面とガイドトラックのガイド面との間の接触領域でのヘルツ（Ｈｅｒｔｚｉａｌ）応力が減少される。また、更に小さいバックラッシュを実現でき、それにより、回転ホモキネティックジョイントの均一な動きを得ることができる。ガイドトラックの側方ガイド面の幾何学的に簡単な直線的な面により、比較的簡単に且つ低コストで外側ジョイント部を製造することができる。
【０００９】
本発明の有利な進展においては、転がり軸受の転がり軸受外面が球面であり、球面形状の中心が転がり軸受の中心軸上に位置していることが提供される。これは、球面形状に起因して転がり軸受外面を簡単に且つ高い精度で製造でき、それにより、転がり軸受外面とガイド面との間の隙間を小さくできるとともに動きの自由度を小さくできるという点で有益である。また、側方ガイド面に対する転がり軸受の均一な接触が可能になり、それにより、側方ガイド面と転がり軸受外面との間の少なくとも２つの接触領域に対して均一に負荷がかけられる。
【００１０】
また、転がり軸受の転がり軸受外面は、転がり軸受の赤道面に対して垂直に延びる面内に曲率を有していてもよく、前記曲率の半径は、転がり軸受の赤道面内の外径よりも大きい。これにより、大きい半径に起因して、転がり軸受外面とガイド面との間の接触領域を増大させることができ、それにより、接触領域におけるヘルツ応力が更に低くなる。
【００１１】
好ましい実施形態は、互いの方に向かって延びる側方ガイド面の直線的な面同士の成す角度が転がり軸受外面の曲率に適合されることを提供する。したがって、転がり軸受外面に対するガイドトラックの特に良好な接触が可能になり、それにより、バックラッシュを非常に小さく保つことができる。
【００１２】
好ましくは、接触時に、側方ガイド面の直線的な面がそれぞれ、転がり軸受の接触領域で転がり軸受外面の曲率に対する接平面を形成することが提供される。
【００１３】
特に好ましい実施形態において、転がり軸受外面の曲率中心から転がり軸受外面と側方ガイド面との間の接触領域のうちの１つまでの接続線は、転がり軸受の赤道面と、０．５°〜ａｒｃｓｉｎ［Ｂ／（２・ｒ）］−０．５°、好ましくは２°〜ａｒｃｓｉｎ［Ｂ／（２・ｒ）］−２°に相当する角度を成しており、ｒが転がり軸受外面の曲率半径であり、Ｂが転がり軸受の軸方向における転がり軸受の幅である。そのため、転がり軸受外面で材料が壊れないように、転がり軸受外面と側方ガイド面との間の接触領域を転がり軸受の側縁から十分に離間させることができる。また、ガイドトラック内での転がり軸受の傾き安定性を確保するため、転がり軸受外面における２つの接触領域が十分に離間される。
【００１４】
特に好ましい実施形態においては、ガイドトラック内に挿入される転がり軸受が、転がり軸受外面と側方ガイド面との間に最大で０．２ｍｍ、好ましくは最大で０．１ｍｍのクリアランスを有していることが提供される。これにより、ガイドトラック内で転がり軸受が僅かに傾いた場合に、ガイドトラックと転がり軸受との間で十分な潤滑を行なうことができ、それにより、何ら問題なく転がり軸受をガイドトラック内で直線的に移動させることができる。
【００１５】
特に好ましい実施形態では、転がり軸受の端縁が丸められ、また、転がり軸受外面が端縁から段付けられる隆起面を形成していることが提供される。そのような隆起面により、ガイドトラック内で転がり軸受が均一に支障なく移動するために必要な滑らかな表面の転がり軸受外面を有するそのような転がり軸受を容易に製造することができる。
【００１６】
好ましい実施形態において、本発明は、ガイドトラックの側方ガイド面と転がり軸受外面との間にそれぞれ潤滑油チャンネルが設けられることを提供する。この潤滑油チャンネルは、転がり軸受表面と側方ガイド面との間の接触部位間に位置されてもよい。潤滑油チャンネルを設けると、簡単な方法でガイドトラック内の転がり軸受を常に十分に潤滑することができ、それにより、ガイドトラック内での転がり軸受の移動を滑らかにできる。
【００１７】
好ましくは、内側ジョイント部の枢軸がそれぞれ枢軸の軸と同軸のバレル形状を成すことが提供される。バレル形状は、互いに垂直な２つの面内に外面の円形の曲率を有していることが好ましい。軸の面内における外面の曲率半径は、枢軸の軸に対して垂直な赤道面内のバレル形状の半径よりも小さいことが好ましい。この円形の曲率により、転がり軸受の内側リング内に枢軸を簡単に挿入することができる。また、回転ホモキネティックジョイントの曲げによって起こる転がり軸受内側リング内での枢軸の傾動が改善される
【００１８】
転がり軸受は内面を有しており、前記内面および内側ジョイント部の枢軸は、枢軸が転がり軸受の軸方向で直線的に移動できるように互いに合わせられる。転がり軸受内で枢軸が直線的に移動できることにより、転がり軸受に及ぼされる軸力が更に小さくなり、それにより、転がり軸受の傾動の虞が減少される。また、特に簡単な方法で枢軸を転がり軸受内に挿入することができる。更に、比較的簡単な方法で且つ低コストでそのような内面の製造および微細な機械加工を行なうことができる。
【００１９】
転がり軸受は、ロール体を間に配置した転がり軸受内側リングと転がり軸受外側リングとから成っていてもよく、転がり軸受内側リングおよび転がり軸受外側リングは、転がり軸受の軸方向で互いに対して固定されている。これにより、転がり軸受が内側ジョイント部上に配置される前であっても転がり軸受を組み立てることができ、それにより、回転ホモキネティックジョイントの装着が更に容易になる。好ましい実施形態では、ロール体が転がり軸受外側リング内に固定される。このようにすると、転がり軸受を組み立てる際、ロール体が転がり軸受外側リングと転がり軸受内側リングとの間に位置されるように転がり軸受内側リングを転がり軸受外側リングへと簡単に移動させることができる。
【００２０】
有利な進展において、転がり軸受内側リングは、スプリングリングおよび／または平坦リングによって転がり軸受外側リングに対して固定されている。あるいは、転がり軸受内側リングは、圧入リングによって転がり軸受外側リングに対して固定することができる。いずれの場合も、転がり軸受内側リングを転がり軸受外側リングに対して簡単に固定することができる。１つの実施形態では、転がり軸受の内側リング内で枢軸を軸方向に直線的に移動させることができるため、転がり軸受内側リングと転がり軸受外側リングとの間に大きな軸力が生じることはなく、したがって、これに伴い、スプリングリング、平坦リングおよび／または圧入リングが大きな軸力を受けなくて済む。また、このような固定により、転がり軸受を回転ホモキネティックジョイントに取り付ける前に転がり軸受を簡単に組み立てることができ、それにより、転がり軸受をユニットとして取り付けることができるようになる。
【００２１】
本発明の好ましい実施形態において、外側ジョイント部の外面は円筒状または三脚台形状を成している。
【発明を実施するための最良の形態】
【００２２】
以下、添付図面を参照しながら、本発明について詳しく説明する。
【００２３】
図１には、本発明に係る回転ホモキネティックジョイント１が分解図で示されている。回転ホモキネティックジョイントは、ポット形状の外側ジョイント部２と内側ジョイント部８とから成っている。外側ジョイント部２の先端には、車軸駆動側の駆動シャフトへの接続部または従動シャフトへの接続部としての機能を果たしてもよいスプライン歯を有するシャフト５が設けられている。
【００２４】
外側ジョイント部２は外面３および内面４を有している。外側ジョイント部２の軸方向に延びる少なくとも３つのガイドトラック６は、内面４の周囲にわたって均一に分布された態様で陥凹状に形成されている。図示の実施形態では、外面３が円筒形状を成している。あるいは、外側ジョイント部２の外面は、三脚台形状またはチューリップ形状を成していてもよい。しかしながら、その製造が非常に簡単であるという点で、円筒形状が有益である。
【００２５】
内側ジョイント部８は環状構造を成している。内部には、駆動シャフトまたは従動シャフトが接続されてもよいスプライン歯を有するリング７が配置されている。
【００２６】
図２の内側ジョイント部８は、互いに対して１２０°の角度で径方向に延びる枢軸１０を備えており、枢軸の数は外側ジョイント部２のガイドトラック６の数に対応している。図２に示される好ましい実施形態は、３つのガイドトラック６と３つの枢軸１０とを有しており、内側ジョイント部８は三脚星形を成している。
【００２７】
転がり軸受１２が枢軸１０上に押し付けて取り付けられている。外側ジョイント部２のガイドトラック６および転がり軸受１２は、転がり軸受１２がガイドトラック６上に押し付けられる状態で、内側ジョイント部８を外側ジョイント部２内に押し込むことができるように互いに対して適合されており、それにより、転がり軸受１２は、外側ジョイント部２のガイドトラック６内で回転ホモキネティックジョイント１の軸方向に直線的に移動できる。転がり軸受１２は、ガイドトラック６の側方ガイド面１６によってガイドされ、その場合、転がり軸受１２は、その外面１４を用いて側方ガイド面１６に沿ってスライドする。
【００２８】
図２は、本発明に係る回転ホモキネティックジョイントを断面図で示している。転がり軸受１２は、内側ジョイント部８の枢軸１０上にセットされており、内側ジョイント部８と共に外側ジョイント部２内に挿入されている。図２に示される実施形態において、外側ジョイント部２は回転ホモキネティックジョイント１の駆動部分を表わしており、一方、内側ジョイント部８は従動部である。外側ジョイント部２は矢印で示される回転方向に沿って駆動される。このローディング方向に対応して、ガイドトラック６のガイド面１６は、転がり軸受１２の転がり軸受外面１４に対して当接する。ガイドトラック６の各側方ガイド面１６と転がり軸受１２の転がり軸受面１４との間にはそれぞれ、少なくとも接触領域２０が存在する。したがって、回転方向の矢印でも示される回転動作を外側ジョイント部２から内側ジョイント部８へと伝えることができる。
【００２９】
支持機構を更に良く理解するため、図５は、アンロード状態で挿入された転がり軸受１２を伴うガイドトラック６の詳細図を概略的に示している。図示の実施形態において、側方ガイド面１６は、互いに対して所定の角度αを成して延びる２つの直線的な面１８ａ，１８ｂから成る。転がり軸受外面１４は、直線的な面１８ａ，１８ｂのそれぞれが接触領域２０で転がり軸受外面の曲率に対する接平面を形成するように、直線的な面１８ａ，１８ｂの角度αが適合される半径が一定の曲率を有している。側方ガイド面１６と転がり軸受外面１４との間の隙間は、潤滑油チャンネル３０が形成されるように２つの直線的な面１８ａ，１８ｂの接触縁部の領域で広げられている。
【００３０】
ガイド面１６と転がり軸受外面１４との間の少なくとも２つの接触領域２０により、伝えられるべき力が両方の接触領域２０間で均等に分布され、それにより、接触領域２０で広がるヘルツ（Ｈｅｒｔｚｉａｌ）応力が従来よりも小さくなる。また、ガイドトラック６と転がり軸受１２との間のクリアランスを特に小さく保つことができるため、ガイドトラック６内での転がり軸受１２の傾き安定性が高められる。側方ガイド面１８ａ，１８ｂが長手方向で直線的に形成されているため、側方ガイド面１８ａ，１８ｂを容易に製造して非常に良好に平滑化することができる。したがって、最大で０．２ｍｍ、部分的には最大で０．１ｍｍのクリアランスまたは隙間幅が可能である。
【００３１】
図４から分かるように、転がり軸受外面１４の形状は２つの異なる半径Ｒ，ｒを有している。半径Ｒは、転がり軸受の軸方向中心線に対して垂直な赤道面２４内の転がり軸受１２の半径を表わしている。その結果、半径Ｒは、転がり軸受１２の公称直径（最大外径）を表わしている。図４の画面における転がり軸受１２の転がり軸受外面１４の曲率は半径ｒを含んでいる。図４に示される実施形態において、半径ｒは半径Ｒよりも大きい。図示しない実施形態では、半径Ｒ，ｒが等しく、それにより、転がり軸受外面１４は、転がり軸受１２の中心軸２２上に中心を持つ球の球面層を描く。この場合、前記球面層は赤道面に対して対称である。しかしながら、転がり軸受外面１４とガイドトラック６の側方ガイド面１６との間の接触領域２０がこのように広げられることから、転がり軸受１２の軸方向の転がり軸受外面１４の曲率半径ｒができる限り大きく選択されると、接触領域２０でのヘルツ（Ｈｅｒｔｚｉａｌ）応力が減少され、有益である。
【００３２】
図３から分かるように、転がり軸受１２は段付き端縁２８を備えており、それにより、転がり軸受外面１４は、端縁２８から段が付けられる隆起した転動面を形成する。図示しない実施形態において、転がり軸受１２の端縁２８は、転がり軸受外面１４が端縁２８へと延びるように丸められていない。しかしながら、図３に示される実施形態は、転がり軸受外面１４をその隆起形状により特に良好に仕上げまたは平滑化することができるという点で有益である。側方ガイド面１６の直線的な面１８ａ，１８ｂ同士が成す角度αおよび転がり軸受外面１４の曲率半径Ｒを選択する際には、転がり軸受外面１４と側方ガイド面１６との間の接触領域２０をできる限り離間させることによりガイドトラック内での転がり軸受の傾き安定性を可能な限り高めるようにするべきであるが、これらの接触領域が転がり軸受外面１４の端縁２８または側縁にのみ非常に近接して位置されているために転がり軸受外面１４における材料が接触領域２０での圧力荷重により壊れないようにすることが考慮されなければならない。
【００３３】
曲率中心から転がり軸受外面１４と側方ガイド面１６との間の接触領域２０のうちの１つまでの接続線２６は、転がり軸受１２の赤道面２４と０．５°〜ａｒｃｓｉｎ［Ｂ／（２・ｒ）］−０．５°の範囲内にある角度βを成していることが好ましい。特に好ましい実施形態では、角度βは、２°〜ａｒｃｓｉｎ［Ｂ／（２・ｒ）］−２°である。この場合、ｒは曲率半径を表わしており、また、図３に示されるように、Ｂは、転がり軸受１２の軸方向における転がり軸受外面の幅を表わしている。
【００３４】
図３、４、６から分かるように、転がり軸受１２は、転がり軸受内側リング３４と転がり軸受外側リング３６とから成る。転がり軸受リング間にはロール体３８が配置されている。転がり軸受内側リング３４は内面３２を有しており、この内面および内側ジョイント部８の枢軸１０は、枢軸１０が内面３２上をスライドすることができ、したがって、枢軸１０が転がり軸受１２内で傾くことができ、または転がり軸受１２に対して直線的に移動することができるように互いに合わせられる。
【００３５】
図６に示される実施形態において、枢軸１０は、曲率半径が枢軸の軸方向で枢軸の赤道面３３内の枢軸の半径よりも小さいバレル形状を成している。すなわち、曲率半径は、枢軸１０の公称直径を規定する半径よりも小さい。このいわゆる半径オフセットは、枢軸１０の中心線２２と平行に描かれた線により図６に概略的に示されている。このバレル形状は、枢軸１０が転がり軸受１２内で容易に傾くことができ、したがって、枢軸１０が傾動中に転がり軸受１２に対して及ぼす力が小さいという利点を有している。これにより、ガイドトラック６内での転がり軸受１２の傾きが小さく保たれる。
【００３６】
転がり軸受１２は異なる形状を有していてもよい。転がり軸受内側リング３４は、転がり軸受外側リング３６に対して転がり軸受の軸方向で常に固定されている。転がり軸受１２の組み立て前に、転がり軸受外側リング３６内にロール体３８が固定される。その後、転がり軸受内側リング３４が転がり軸受外側リング３６内に押し込められる。図３に示されるように、転がり軸受内側リング３４は、平坦リングによって転がり軸受外側リング３６に対して固定されてもよい。転がり軸受内側リング３４と転がり軸受外側リング３６との間には大きな軸力が生じないため、そのような平坦リング４２は、転がり軸受内側リング３４を転がり軸受外側リング３６に対して固定するのに十分である。あるいは、図４に示されるように、転がり軸受内側リングが圧入リング４４によって固定されてもよい。図６に示される転がり軸受の第３の実施形態において、転がり軸受内側リング３４は、平坦リング４２とスプリングリング４０とによって転がり軸受外側リング３６に対して固定されている。
【００３７】
無論、本発明の個々の特徴は互いに独立に実現されてもよい。図４の図面に描かれる転がり軸受外面１４の形状は、本発明にしたがって形成されるガイドトラック以外のガイドトラックで使用されてもよい。バレル形状の枢軸１０は、図示の転がり軸受以外の転がり軸受１２で使用されてもよい。また、軸受内側リング３４および転がり軸受外側リング３６の配置およびこれらの互いに対する固定は、転がり軸受外面１４または枢軸１０のその形状に拘束されない。
【図面の簡単な説明】
【００３８】
【図１】本発明に係る回転ホモキネティックジョイントの分解斜視図である。
【図２】内側ジョイント部および転がり軸受が挿入された本発明に係る外側ジョイント部の概略断面図である。
【図３】転がり軸受の一実施形態の詳細な断面図である。
【図４】本発明に係る転がり軸受の他の実施形態の断面図である。
【図５】ガイドトラック内に挿入される転がり軸受の詳細な部分図である。
【図６】枢軸上にセットされた転がり軸受の詳細図である。
【図１】
2008509345.tif 000003
【図２】
2008509345.tif 000004
【図３】
2008509345.tif 000005
【図４】
2008509345.tif 000006
【図５】
2008509345.tif 000007
【図６】
2008509345.tif 000008
【国際調査報告】
2008509345.tif 000009
2008509345.tif 000010
2008509345.tif 000011
2008509345.tif 000012
2008509345.tif 000013
2008509345.tif 000014